【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
動的なアップリンク−ダウンリンク（ＵＬ−ＤＬ）サブフレーム構成を示すシグナリングを受信することと、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、ＨＡＲＱリソース割振りを決定することと
を備える方法。
【請求項２】
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱＡＣＫ／ＮＡＣＫを送信するためのサブフレームを決定することを備える、請求項１に記載の方法。
【請求項３】
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備え、コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、請求項１に記載の方法。
【請求項４】
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備え、前記物理アップリンク制御チャネル（ＰＵＣＣＨ）リソース割振りは、前記動的なＵＬ−ＤＬサブフレーム構成のＤＬアソシエーションセットのサイズに基づいて決定される、請求項１に記載の方法。
【請求項５】
前記動的なＵＬ−ＤＬ構成においてＤＬとして構成されていないバンドリングセット内のフレキシブルなサブフレームは、前記ＤＬアソシエーションセットの前記サイズを決定する際にカウントされない、請求項４に記載の方法。
【請求項６】
ＵＬサブフレームを除去することによって、前記バンドリングセット内の残りのＤＬサブフレームのパッキング順序を決定することをさらに備え、固定のＤＬサブフレームは、前記残りのＤＬサブフレームの前記パッキング順序で最初にマッピングされる、請求項５に記載の方法。
【請求項７】
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、請求項４に記載の方法。
【請求項８】
レガシＵＥ ＰＵＣＣＨ領域との潜在的な衝突が存在するかどうかを決定することと、
潜在的な衝突が検出されない場合、前記レガシＰＵＣＣＨ領域を使用することと、
潜在的な衝突が検出されない場合、第１のオフセット値を選択することと、
潜在的な衝突が検出される場合、第２のオフセット値を選択することと
をさらに備える、請求項７に記載の方法。
【請求項９】
前記ＰＵＣＣＨリソース割振りは、動的なシグナリングに少なくとも部分的に基づいて決定され、前記動的なシグナリングは、
伝送電力制御（ＴＰＣ）コマンドに使用されるダウンリンク制御情報（ＤＣＩ）フォーマットにおける１つまたは複数のビット、または
１つまたは複数の確認応答リソースオフセット（ＡＲＯ）ビット
のうちの少なくとも１つを介して伝達される、請求項４に記載の方法。
【請求項１０】
欠落した動的なＵＬ−ＤＬサブフレーム構成を検出することと、
前記検出に応答して、システム情報ブロック（ＳＩＢ）においてシグナリングされるＵＬ−ＤＬサブフレーム構成に基づいて、ＨＡＲＱリソース割振りを決定することと
をさらに備える、請求項１に記載の方法。
【請求項１１】
基地局（ＢＳ）によるワイヤレス通信のための方法であって、
動的なアップリンク−ダウンリンク（ＵＬ−ＤＬ）サブフレーム構成を示すシグナリングをユーザ機器（ＵＥ）に送信することと、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、前記ＵＥに対するＨＡＲＱリソース割振りを決定することと
を備える方法。
【請求項１２】
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱＡＣＫ／ＮＡＣＫを送信するためのサブフレームを決定することを備える、請求項１１に記載の方法。
【請求項１３】
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備え、コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、請求項１１に記載の方法。
【請求項１４】
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備える、請求項１１に記載の方法。
【請求項１５】
前記物理アップリンク制御チャネル（ＰＵＣＣＨ）リソース割振りは、前記動的なＵＬ−ＤＬサブフレーム構成のＤＬアソシエーションセットのサイズに基づいて決定される、請求項１４に記載の方法。
【請求項１６】
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、請求項１４に記載の方法。
【請求項１７】
レガシＵＥ ＰＵＣＣＨ領域との潜在的な衝突が存在するかどうかを決定することと、
潜在的な衝突が検出されない場合、ＰＵＣＣＨ領域への第１のオフセット値を選択することと、
潜在的な衝突が検出される場合、ＰＵＣＣＨ領域への第２のオフセット値を選択することと
をさらに備える、請求項１６に記載の方法。
【請求項１８】
前記レガシＰＵＣＣＨ領域は、潜在的な衝突が検出さない場合、レガシＵＥと、動的なＵＬ−ＤＬサブフレーム構成をサポートすることができるＵＥとの両方に使用され、前記動的なシグナリングは、
伝送電力制御（ＴＰＣ）コマンドに使用されるダウンリンク制御情報（ＤＣＩ）フォーマットにおける１つまたは複数のビット、または
１つまたは複数の確認応答リソースオフセット（ＡＲＯ）ビット
のうちの少なくとも１つを介して伝達される、請求項１７に記載の方法。
【請求項１９】
前記ＰＵＣＣＨリソース割振りを決定する際に前記ＵＥが使用するための動的なシグナリングを提供することをさらに備える、請求項１４に記載の方法。
【請求項２０】
ユーザ機器（ＵＥ）によるワイヤレス通信のための装置であって、
動的なアップリンク−ダウンリンク（ＵＬ−ＤＬ）サブフレーム構成を示すシグナリングを受信するための手段と、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、ＨＡＲＱリソース割振りを決定するための手段と
を備える装置。
【請求項２１】
基地局（ＢＳ）によるワイヤレス通信のための装置であって、
動的なＵＬ−ＤＬサブフレーム構成を示すシグナリングをユーザ機器（ＵＥ）に送信するための手段と、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、前記ＵＥに対するＨＡＲＱリソース割振りを決定するための手段と
を備える装置。
【手続補正２】
【補正対象書類名】明細書
【補正対象項目名】００８９
【補正方法】変更
【補正の内容】
【００８９】
[0095]  開示された実施形態についての以上の説明は、当業者が本発明を製造または使用できるように提供されている。これらの実施形態に対する様々な変更は、当業者には容易に明らかであり、本明細書で定義された包括的な原理は、本発明の精神または範囲から逸脱することなく、他の実施形態に適用され得る。したがって、本開示は、本明細書で示された実施形態に限定されるようには意図されず、本明細書に開示される原理および新規な特徴と一致する最も広い範囲が与えられるべきである。
以下に本願の出願当初の特許請求の範囲に記載された発明を付記する。
[Ｃ１]
ユーザ機器（ＵＥ）によるワイヤレス通信のための方法であって、
動的なアップリンク−ダウンリンク（ＵＬ−ＤＬ）サブフレーム構成を示すシグナリングを受信することと、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、ＨＡＲＱリソース割振りを決定することと
を備える方法。
[Ｃ２]
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱＡＣＫ／ＮＡＣＫを送信するためのサブフレームを決定することを備える、Ｃ１に記載の方法。
[Ｃ３]
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備える、Ｃ１に記載の方法。
[Ｃ４]
コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、Ｃ３に記載の方法。
[Ｃ５]
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備える、Ｃ１に記載の方法。
[Ｃ６]
前記物理アップリンク制御チャネル（ＰＵＣＣＨ）リソース割振りは、前記動的なＵＬ−ＤＬサブフレーム構成のＤＬアソシエーションセットのサイズに基づいて決定される、Ｃ５に記載の方法。
[Ｃ７]
前記動的なＵＬ−ＤＬ構成においてＤＬとして構成されていないバンドリングセット内のフレキシブルなサブフレームは、前記ＤＬアソシエーションセットの前記サイズを決定する際にカウントされない、Ｃ６に記載の方法。
[Ｃ８]
ＵＬサブフレームを除去することによって、前記バンドリングセット内の残りのＤＬサブフレームのパッキング順序を決定することをさらに備える、Ｃ７に記載の方法。
[Ｃ９]
固定のＤＬサブフレームは、前記残りのＤＬサブフレームの前記パッキング順序で最初にマッピングされる、Ｃ８に記載の方法。
[Ｃ１０]
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、Ｃ５に記載の方法。
[Ｃ１１]
レガシＵＥ ＰＵＣＣＨ領域との潜在的な衝突が存在するかどうかを決定することをさらに備える、Ｃ１０に記載の方法。
[Ｃ１２]
潜在的な衝突が検出されない場合、前記レガシＰＵＣＣＨ領域を使用すること
をさらに備える、Ｃ１１に記載の方法。
[Ｃ１３]
潜在的な衝突が検出されない場合、第１のオフセット値を選択することと、
潜在的な衝突が検出される場合、第２のオフセット値を選択することと
をさらに備える、Ｃ１１に記載の方法。
[Ｃ１４]
前記ＰＵＣＣＨリソース割振りは、動的なシグナリングに少なくとも部分的に基づいて決定される、Ｃ５に記載の方法。
[Ｃ１５]
前記動的なシグナリングは、
伝送電力制御（ＴＰＣ）コマンドに使用されるダウンリンク制御情報（ＤＣＩ）フォーマット中の１つまたは複数のビット、または
１つまたは複数の確認応答リソースオフセット（ＡＲＯ）ビット
のうちの少なくとも１つを介して伝達される、Ｃ１４に記載の方法。
[Ｃ１６]
欠落した動的なＵＬ−ＤＬサブフレーム構成を検出することと、
前記検出に応答して、システム情報ブロック（ＳＩＢ）においてシグナリングされるＵＬ−ＤＬサブフレーム構成に基づいて、ＨＡＲＱリソース割振りを決定することと
をさらに備える、Ｃ１に記載の方法。
[Ｃ１７]
基地局（ＢＳ）によるワイヤレス通信のための方法であって、
動的なアップリンク−ダウンリンク（ＵＬ−ＤＬ）サブフレーム構成を示すシグナリングをユーザ機器（ＵＥ）に送信することと、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定することと、
前記動的なＵＬ−ＤＬサブフレーム構成に基づいて、前記ＵＥに対するＨＡＲＱリソース割振りを決定することと
を備える方法。
[Ｃ１８]
前記基準のＵＬ−ＤＬサブフレーム構成に基づいて、ＨＡＲＱ ＡＣＫ／ＮＡＣＫタイミングを決定することは、前記基準のＵＬ−ＤＬサブフレーム構成に基づいて、ＨＡＲＱＡＣＫ／ＮＡＣＫを送信するためのサブフレームを決定することを備える、Ｃ１７に記載の方法。
[Ｃ１９]
前記動的なＵＬ−ＤＬサブフレーム構成に基づいて、ＨＡＲＱリソース割振りを決定することは、前記動的なＵＬ−ＤＬサブフレーム構成に基づいて、ＨＡＲＱ−ＡＣＫコードブックサイズを決定することを備える、Ｃ１７に記載の方法。
[Ｃ２０]
コードブックサイズ、またはＡＣＫ／ＮＡＣＫビットの数、のうちの少なくとも１つは、前記動的なＵＬ−ＤＬサブフレーム構成のＤＬアソシエーションセットのサイズに基づいて決定される、Ｃ１９に記載の方法。
[Ｃ２１]
前記動的なＵＬ−ＤＬサブフレーム構成に基づいて、ＨＡＲＱリソース割振りを決定することは、前記動的なＵＬ−ＤＬサブフレーム構成に基づいて、物理アップリンク制御チャネル（ＰＵＣＣＨ）リソース割振りを決定することを備える、Ｃ１７に記載の方法。
[Ｃ２２]
前記物理アップリンク制御チャネル（ＰＵＣＣＨ）リソース割振りは、前記動的なＵＬ−ＤＬサブフレーム構成のＤＬアソシエーションセットのサイズに基づいて決定される、Ｃ２１に記載の方法。
[Ｃ２３]
別個のＰＵＣＣＨ領域が、動的なＵＬ−ＤＬサブフレーム構成をサポートすることができるＵＥと、動的なＵＬ−ＤＬサブフレーム構成をサポートすることができないレガシＵＥとに対して構成される、Ｃ２１に記載の方法。
[Ｃ２４]
レガシＵＥ ＰＵＣＣＨ領域との潜在的な衝突が存在するかどうかを決定することをさらに備える、Ｃ２３に記載の方法。
[Ｃ２５]
前記レガシＰＵＣＣＨ領域は、潜在的な衝突が検出さない場合、レガシＵＥと、動的なＵＬ−ＤＬサブフレーム構成をサポートすることができるＵＥとの両方に使用される、Ｃ２４に記載の方法。
[Ｃ２６]
潜在的な衝突が検出されない場合、ＰＵＣＣＨ領域への第１のオフセット値を選択することと、
潜在的な衝突が検出される場合、ＰＵＣＣＨ領域への第２のオフセット値を選択することと
をさらに備える、Ｃ２４に記載の方法。
[Ｃ２７]
前記ＰＵＣＣＨリソース割振りを決定する際に前記ＵＥが使用するための動的なシグナリングを提供することをさらに備える、Ｃ２１に記載の方法。
[Ｃ２８]
前記動的なシグナリングは、
伝送電力制御（ＴＰＣ）コマンドに使用されるダウンリンク制御情報（ＤＣＩ）フォーマット中の１つまたは複数のビット、または
１つまたは複数の確認応答リソースオフセット（ＡＲＯ）ビット
のうちの少なくとも１つを介して伝達される、Ｃ２５に記載の方法。
[Ｃ２９]
ユーザ機器（ＵＥ）によるワイヤレス通信のための装置であって、
動的なアップリンク−ダウンリンク（ＵＬ−ＤＬ）サブフレーム構成を示すシグナリングを受信するための手段と、
基準のＵＬ−ＤＬサブフレーム構成に基づいて、ハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、ＨＡＲＱリソース割振りを決定するための手段と
を備える装置。
[Ｃ３０]
基地局（ＢＳ）によるワイヤレス通信のための装置であって、
動的なＵＬ−ＤＬサブフレーム構成を示すシグナリングをユーザ機器（ＵＥ）に送信するための手段と、
基準のＵＬ−ＤＬサブフレーム構成に基づいて、前記ＵＥに対するハイブリッド自動再送要求（ＨＡＲＱ）肯定応答／否定応答（ＡＣＫ／ＮＡＣＫ）タイミングを決定するための手段と、
前記動的なＵＬ−ＤＬサブフレーム構成に基づいて、前記ＵＥに対するＨＡＲＱリソース割振りを決定するための手段と
を備える装置。